(57)【特許請求の範囲】
【請求項１】
内部に収納空間を有すると共に後面と上面が開口されている箱状の形状とされ、前記収納空間に電子回路ユニットと、該電子回路ユニットに電源を供給する電源部とが取り外し可能に収容されているケース本体部と、
前面と下面が開口されている箱状の形状とされ、前記ケース本体部の前記後面側に回転可能に支持されて前記ケース本体部の開口された後面および上面を閉塞するよう被嵌される蓋部とを備え、
前記ケース本体部の前面部には、収容された前記電源部から導出された第１ケーブルを挿通する第１挿通部と、収容された前記電子回路ユニットに接続された第２ケーブルを挿通する第２挿通部を有し、該第１挿通部を介して前記第１ケーブルを外部へ導出可能とされると共に該第２挿通部を介して前記第２ケーブルを外部へ導出可能な導出部が設けられており、
該導出部に形成されたスライド溝内にブランクパネルをスライドさせることにより、前記第１挿通部および前記第２挿通部、または、前記第１挿通部と前記第２挿通部とのいずれかを、前記ブランクパネルにより塞ぐことができることを特徴とする電子機器ケース。
【請求項２】
前記ブランクパネルは、細長い矩形状の上板部の下面から所定間隔をもって対面するよう立設する前板部と後板部と、前記前板部の前面から突出する係合突起とを備え、
前記導出部の前面部には前記係合突起が係合可能な複数の係合溝が形成されており、前記導出部の前記スライド溝内に、前記ブランクパネルの前記前板部と前記後板部を嵌挿した際に、前記前板部と前記後板部とが前記スライド溝内において弾性的にスライド可能とされると共に、前記複数の係合溝のいずれかに前記係合突起が弾性的に係合し、前記係合突起が係合する前記係合溝に応じて、前記第１挿通部および前記第２挿通部、または、前記第１挿通部と前記第２挿通部とのいずれかが、前記ブランクパネルにより塞がれることを特徴とする請求項１に記載の電子機器ケース。
【発明の詳細な説明】
【技術分野】
【０００１】
本発明は、電源ケーブルやアースケーブルなどが導出される導出部を、ケーブルが不要とされた際に塞ぐことができる電子機器ケースに関する。
【背景技術】
【０００２】
テレビ受信用のアンテナで受信したテレビ信号やＣＡＴＶ信号は、一般に同軸ケーブルを介して屋内に導入されて、映像機器などに供給される。テレビジョンが複数台設けられている場合は、分配器を用いて信号を複数に分配して、分配信号がそれぞれテレビジョンに入力されるようになる。複数台のテレビジョンがある場合に、各テレビジョンに入力される受信信号は、同軸ケーブルの伝送損失や分配器の分配損失により信号レベルが低下するようになり、十分な信号レベルが得られない場合がある。このような場合に使用するブースターは、内蔵されている増幅部により信号を増幅することで、同軸ケーブルの伝送損失や分配器の分配損失などの影響を改善することができる。
【０００３】
特許文献１に記載された従来のブースターや、特願２０１３−１０５８７８号として出願人が提案しているブースターでは、ケース内から電源部を取り外すことができる構造とされている。この従来のブースターの構成の一例を示す斜視図を図１１に、蓋を開けた状態のブースターの構成を図１２に示す。
これらの図に示すように、従来のブースター１００は、上面と前面が開口された内部に収納空間を有する所定の高さの箱状のケース本体部１０３と、内部に収納空間を有する箱状の形状の蓋部１０２とを備えている。蓋部１０２は、ケース本体部１０３に回転支持部１０４により回転可能に支持されて、開けた状態の蓋部１０２を回転させることにより、ケース本体部１０３の開口された上面および前面を閉塞するよう被嵌することができる。ケース本体部１０３の内部には、下側に入力した信号を増幅する増幅部１３１が内蔵され、増幅部１３１に電源を供給する電源部１３０が、取り外し可能に増幅部１３１の上側に収容されている。電源部１３０からは、増幅部１３１に動作用の電源が供給され、先端に電源プラグが設けられた電源ケーブル１０６が電源部１３０から導出されて、電源ケーブル１０６はケース本体部１０３の底面部１０３ｃに形成された溝部を介して外部へ導出されている。また、３つの同軸端子１０５がケース本体部１０３の底面部１０３ｃに形成された貫通孔を貫通して下方へ突出している。
【０００４】
さらに、上部後方に設けられた回転支持部１０４を回転軸として、蓋部１０２は、ケース本体部１０３に回転可能に支持されている。蓋部１０２の前面部の下端の内側面に一対の係止片１０９が立設されている。この一対の係止片１０９は、蓋部１０２を回転させてケース本体部１０３に被嵌した際に、底面部１０３ｃの外面に形成されている係合部１０８に係合する。係止片１０９の先端部には先端に向かって尖ったくさび状の係合片が形成されており、この係止片１０９が係合部１０８に係合するようになる。
【先行技術文献】
【特許文献】
【０００５】
【特許文献１】特開２００３−２８９１８８号公報
【発明の概要】
【発明が解決しようとする課題】
【０００６】
従来のブースター１００では、屋外にＡＣ１００Ｖの供給源がある場合は、ブースター１００内に電源部１３０を収容した状態として、電源部１３０から直接増幅部１３１に動作用の電源を供給している。また、屋外にＡＣ１００Ｖの供給源がない場合は、ブースター１００内から電源部１３０を取り出して、電源部１３０のみを屋内に設置し、ブースター１００は屋外に設置する。この場合、電源部１３０には同軸ケーブルを接続することができる信号入力端子と信号出力端子が設けられると共に、増幅部１３１にも信号入力端子と信号出力端子とが設けられている。そして、増幅部１３１の信号出力端子は電源入力端子を兼用していると共に、電源部１３０の信号入力端子は電源出力端子を兼用している。そこで、増幅部１３１から電源部１３０を分離して使用する際には、増幅部１３１の信号出力端子と電源部１３０の信号入力端子とを同軸ケーブルで接続することにより、増幅部１３１に電源部１３０から電源を供給することができると共に、増幅部１３１から出力される増幅された信号が電源部１３０に入力されるようになる。電源部１３０に入力された信号は、そのまま信号出力端子から出力されて、映像機器などに供給される。
しかしながら、電源部１３０をブースター１００内から取り外した際には、溝部に挿入されていた電源ケーブル１０６が取り外されるため、溝部が空いてしまい、そこから雨水や塵埃がブースター１００の内部に侵入するという問題点があった。
【０００７】
そこで、本発明は、ケースから導出するケーブルが不要とされた際に、ケーブルが導出される穴を塞ぐことができる電子機器ケースを提供することを目的としている。
【課題を解決するための手段】
【０００８】
本発明の電子機器ケースは、内部に収納空間を有すると共に後面と上面が開口されている箱状の形状とされ、前記収納空間に少なくとも一つの電子ユニットが取り外し可能に収容されているケース本体部と、前面と下面が開口されている箱状の形状とされ、前記ケース本体部の前記後面側に回転可能に支持されて前記ケース本体部の開口された後面および上面を閉塞するよう被嵌される蓋部とを備え、前記ケース本体部の前面部には、収容された前記電子ユニットから導出されたケーブルを挿通する挿通部を有し、該挿通部を介して前記ケーブルを外部へ導出可能な導出部が設けられており、該導出部に形成されたスライド溝内にブランクパネルをスライドさせることにより、前記挿通部を塞ぐことができることを最も主要な特徴としている。
【０００９】
また、本発明の他の電子機器ケースは、内部に収納空間を有すると共に後面と上面が開口されている箱状の形状とされ、前記収納空間に電子回路ユニットと、該電子回路ユニットに電源を供給する電源部とが取り外し可能に収容されているケース本体部と、前面と下面が開口されている箱状の形状とされ、前記ケース本体部の前記後面側に回転可能に支持されて前記ケース本体部の開口された後面および上面を閉塞するよう被嵌される蓋部とを備え、前記ケース本体部の前面部には、収容された前記電源部から導出された第１ケーブルを挿通する第１挿通部と、収容された前記電子回路ユニットに接続された第２ケーブルを挿通する第２挿通部を有し、該第１挿通部を介して前記第１ケーブルを外部へ導出可能とされると共に該第２挿通部を介して前記第２ケーブルを外部へ導出可能な導出部が設けられており、該導出部に形成されたスライド溝内にブランクパネルをスライドさせることにより、前記第１挿通部および前記第２挿通部、もしくは、前記第１挿通部と前記第２挿通部とのいずれかを、前記ブランクパネルにより塞ぐことができることを最も主要な特徴としている。
【００１０】
さらに、上記した電子機器ケースにおいて、前記ブランクパネルは、細長い矩形状の上板部の下面から所定間隔をもって対面するよう立設する前板部と後板部と、前記前板部の前面から突出する係合突起とを備え、前記導出部の前面部には前記係合突起が係合可能な複数の係合溝が形成されており、前記導出部の前記スライド溝内に、前記ブランクパネルの前記前板部と前記後板部を嵌挿した際に、前記前板部と前記後板部とが前記スライド溝内において弾性的にスライド可能とされると共に、前記複数の係合溝のいずれかに前記係合突起が弾性的に係合し、前記係合突起が係合する前記係合溝に応じて、前記第１挿通部および前記第２挿通部、または、前記第１挿通部と前記第２挿通部とのいずれかが、前記ブランクパネルにより塞がれるようにしてもよい。
【発明の効果】
【００１１】
本発明の電子機器は、導出するケーブルに応じて、ブランクパネルを導出部に形成されたスライド溝内をスライドさせることにより、挿通部にケーブルを挿通したり、あるいは、ブランクパネルにより挿通部を塞ぐことができることから、塵埃や雨水が電子機器ケース内に侵入することを防止することができる。
【図面の簡単な説明】
【００１２】
【図１】本発明の実施例の電子機器ケースの構成を示す斜視図である。
【図２】本発明にかかる電子機器ケースにおいて、蓋部を開けた状態の構成を示す斜視図である。
【図３】本発明にかかる電子機器ケースにおいて、蓋部を開けた状態の構成を示す斜視図である。
【図４】本発明にかかる電子機器ケースにおいて、ブランクパネルをスライドすると共に蓋部を開けた状態の構成を示す斜視図である。
【図５】本発明にかかる電子機器ケースにおいて、ブランクパネルをスライドすると共に蓋部を開けた他の状態の構成を示す斜視図である。
【図６】本発明にかかる電子機器ケースにおいて、電源部を収容すると共に蓋部を開けた状態の構成を示す斜視図である。
【図７】本発明にかかる電子機器ケースにおいて、ブランクパネルをスライドすると共に蓋部を開けたさらに他の状態の構成を示す斜視図である。
【図８】本発明にかかる電子機器ケースにおいて、増幅部を収容すると共に蓋部を開けた状態の構成を示す斜視図である。
【図９】本発明にかかる電子機器ケースのブランクパネルの構成を示す正面側斜視図および背面側斜視図である。
【図１０】本発明にかかる電子機器ケースの導出部の構成を拡大して示す斜視図である。
【図１１】従来のブースターの構成を示す斜視図である。
【図１２】従来のブースターの構成を示す蓋を開けた状態の斜視図である。
【発明を実施するための形態】
【００１３】
本発明の実施例の電子機器ケース１の構成を示す斜視図を図１に示し、本発明にかかる電子機器ケース１において、蓋部を開けた状態の構成を示す斜視図を図２に示す。
電子機器ケース１は、テレビ信号やＣＡＴＶ信号等の入力された信号を増幅する機能を備える電子機器のケースとされ、これらの図に示すように、上面と前面が開口された内部に収納空間を有する所定の高さとされた箱状のケース本体部３と、内部に収納空間を有する箱状の形状の蓋部２とを備えている。蓋部２は、ケース本体部３に両側面の後面側の下部が、回転支持部４により回転可能に支持されており、ケース本体部３に閉じるように蓋部２を回転させると、ケース本体部３の開口された上面および後面を閉塞するよう被嵌することができる。蓋部２とケース本体部３とは合成樹脂製とされている。
【００１４】
ケース本体部３は左側部３ａ、右側部３ｂ、前面部３ｃが底面部の３方の縁部から立設して形成されて構成されており、左側部３ａ、右側部３ｂ、前面部３ｃの側面と、底面部とで囲まれた収納空間が存在している。このケース本体部３の収納空間には、入力された信号を増幅する電子回路ユニットとされる増幅部３１が取り外し可能に前側に内蔵され、増幅部３１に電源を供給する電源部３０が、取り外し可能に増幅部３１の後側に収容されている。増幅部３１は、増幅回路が組まれた回路基板が収納されたシールドケースからなり、電源部３０を増幅部３１の後側に装着して収納した際には、電源部３０から増幅部３１に動作用の電源が供給される。増幅部３１の前面からは、例えば信号を入力する同軸端子５ａと、モニター信号を出力する同軸端子５ｂと、増幅された信号を出力する同軸端子５ｃとが突出して設けられており、複数の同軸端子５ａ〜５ｃはケース本体部３の前面部３ｃに形成された円筒状のリング状部をそれぞれ貫通して外部へ突出している。電源部３０の一側面からは、先端に電源プラグが設けられた電源ケーブル６が導出されており、電源ケーブル６はケース本体部３の右側部３ｂの内側に沿って配置され、前面部３ｃに形成された導出部１０を介して外部へ導出されている。また、増幅部３１のシールドケースに接続されたアースケーブル７もケース本体部３の右側部３ｂに沿って配置され、前面部３ｃに形成された導出部１０を介して外部へ導出されている。このアースケーブル７は、アースに接続されてシールドケースはアースされる。さらに、前面部３ｃのほぼ中央の上側には横長とされた矩形板状の係合部８が立設して形成されている。
【００１５】
蓋部２は、上面部２ｃと、上面部２ｃの３方の縁部から立設する左側部２ａ、右側部２ｂと後面部から構成され、前面と下面とが開口され内部が収納空間とされている。左側部２ａおよび右側部２ｂの下縁の後面側から下方へ延伸している回転支持部４を回転軸として、蓋部２は、ケース本体部３に回転可能に支持されている。上面部２ｃの前縁から前方へ延伸して両側が斜辺とされた張り出し片２ｄが形成されている。この張り出し片２ｄの下面から一対の矩形状の係止片９が下方へ向けて立設されている。この一対の係止片９は、蓋部２をケース本体部３に被嵌した際に、前面部３ｃに形成されている係合部８に着脱自在に係合する。係止片９の先端部には先端に向かって尖ったくさび状の係合片が形成されており、この係止片９の先端部が係合部８の前縁に係合するようになる。そして、張り出し片２ｄに指をかけて上側に力を加えることにより、係止片９が係合部８から外れてケース本体部３から蓋部２を開けることができる。また、蓋部２をケース本体部３に被嵌した際には、ケース本体部３の左側部３ａ、右側部３ｂの外側に、蓋部２の左側部２ａ、右側部２ｂが重合するよう被嵌され、左側部２ａおよび右側部２ｂの下側の縁部に形成された厚みが一段薄くされた部分が、左側部３ａおよび右側部３ｂの根元に形成された溝部内に嵌入される。これにより、蓋部２をケース本体部３に被嵌した際には防滴ケースが構成される。また、ケース本体部３の底面部の下部から前側に延伸するよう一対の取付部３ｄが形成されている。この取付部３ｄには、取付ネジの挿通孔が形成されており建物等の外壁に電子機器ケース１を取り付ける際に使用される。
【００１６】
本発明にかかる電子機器ケース１には、上記したように増幅部３１と電源部３０とが収容可能とされている。電子機器ケース１内に電源部３０および増幅部３１が収容されていない状態の構成を示す斜視図を図３に示す。この図に示すように、ケース本体部３の収納空間に電源部３０および増幅部３１が収容されていないことから、導出部１０からは電源ケーブル６およびアースケーブル７は導出されていない。この場合、蓋部２を回転支持部４を回転軸として回転させて、ケース本体部３に被嵌すると導出部１０の後述する電源ケーブル６およびアースケーブル７を挿通する挿通溝が空いてしまい、塵埃や雨水が電子機器ケース１内に侵入する恐れが生じる。そこで、後述するように導出部１０にスライド可能に嵌挿されているブランクパネル１１を挿通溝を塞ぐように横方向（図示する例では右方向）にスライドさせる。これにより、導出部１０の挿通溝がブランクパネル１１で塞がれるようになる。ここで、蓋部２を回転支持部４を回転軸として回転させて、ケース本体部３に被嵌した場合は、導出部１０の挿通溝がブランクパネル１１で塞がれていることから、塵埃や雨水が電子機器ケース１内に侵入することを防止することができるようになる。
【００１７】
ここで、ブランクパネル１１の構成を拡大して示す正面側斜視図を図９（ａ）に、ブランクパネル１１の構成を拡大して示す背面側斜視図を図９（ｂ）に示し、これらの図を参照してブランクパネル１１の説明を行う。
図９（ａ）（ｂ）に示すようにブランクパネル１１は横長の平板状の上板部１１ａと、上板部１１ａの下面に前側の長辺に沿って下方へ立設して形成された平板状の前板部１１ｂと、上板部１１ａの下面に後側の長辺に沿って下方へ立設して形成された平板状の後板部１１ｄとから構成されている。前板部１１ｂと後板部１１ｄとはほぼ平行に対面するよう形成されていると共に、上板部１１ａの長辺の縁部から若干内側に形成されており、先端部の外側面にはテーパ部が形成されて、後述する導出部１０のスライド溝に嵌挿し易い形状とされている。また、前板部１１ｂの前面の下部に前方へ突出する横長の係合突起１１ｃが形成されている。係合突起１１ｃの両側は斜辺とされ、上下側は先端にいくほど厚さが薄くなるテーパ部に形成されている。また、上板部１１ａの上面には複数の互いにほぼ平行な棒状の突起からなる滑り止め突起１１ｅが形成されている。
【００１８】
また、ケース本体部３の前面部３ｃに形成された導出部１０の構成を拡大して示す斜視図を図１０に示す。ただし、導出部１０にはブランクパネル１１が装着されており、係合部８の構成は省略して示している。
この図に示すように、導出部１０は前面部３ｃから前面側へ側面部１０ｅの幅だけ突出するよう形成されており、前面部１０ｄと、前面部１０ｄに対面する前面部３ｃとには電源ケーブル６を挿通する下端が半円状の深い溝からなる第１挿通部１０ｂと、アースケーブル７を挿通する下端が半円状の浅い溝からなる第２挿通部１０ｃとが所定間隔を持って形成されている。また、前面部１０ｄは、ケース本体部３の前面部３ｃとほぼ平行に対面しており、その間にはブランクパネル１１をスライド可能に嵌挿できると共に、スライドすることができる断面が細長い矩形状のスライド溝１０ａが形成されている。スライド溝１０ａの幅は、ブランクパネル１１の前板部１１ｂの前面から後板部１１ｄの後面までの長さにほぼ等しくされている。また、導出部１０の前面部１０ｄの下部には、ブランクパネル１１の係合突起１１ｃが係合可能な縦長の矩形状の４つの第１係合溝１０ｆ、第２係合溝１０ｇ、第３係合溝１０ｈ、第４係合溝１０ｉが所定間隔で配置されて形成されている。
なお、ブランクパネル１１をスライド溝１０ａに嵌挿した際には、ブランクパネル１１の前板部１１ｂおよび後板部１１ｄがスライド溝１０ａ内に嵌挿され、ケース本体部３の前面部３ｃおよび導出部１０の前面部１０ｄの上縁に、ブランクパネル１１の上板部１１ａの下面の前板部１１ｂの前側と後板部１１ｄの後側とが当接する。前板部１１ｂの係合突起１１ｃは、第１係合溝１０〜第４係合溝１０ｉのいずれかに弾性的に係合するが、係合突起１１ｃが係合する係合溝を変更させるよう、ブランクパネル１１の滑り止め突起１１ｅに指を当てて横方向にスライドさせる力を加えると、前板部１１ｂの弾性に抗して係合突起１１ｃが係合している係合溝を乗り越えて当該係合溝から抜け出し、スライドしていくようになる。そして、ブランクパネル１１を所望の係合溝の部位までスライドさせると、所望の係合溝に係合するようになる。この場合、ブランクパネル１１はスライド溝１０ａ内を弾性的にスライドしていくようになる。
【００１９】
図１０に示す状態は、ブランクパネル１１の係合突起１１ｃが第１係合溝１０ｆに係合している状態であり、ブランクパネル１１の横方向の長さが、スライド溝１０ａの左端から第２挿通部１０ｃの左側までの長さ以内の長さとされているため、第２挿通部１０ｃが前面部３ｃおよび前面部１０ｄから露出すると共に、第２挿通部１０ｃより左側に形成されている第１挿通部１０ｂも露出する。この場合は、電源ケーブル６を第１挿通部１０ｂに挿通して外部へ導出することができると共に、アースケーブル７を第２挿通部１０ｃに挿通して外部へ導出することができる。すなわち、ケース本体部３内に電源部３０および増幅部３１を収容した際に、電源部３０から導出された電源ケーブル６を第１挿通部１０ｂに挿通して外部へ導出することができると共に、増幅部３１に接続されたアースケーブル７を第２挿通部１０ｃに挿通して外部へ導出することができる。この態様が、上記した図１および図２に示されている。
【００２０】
また、図３に示すように、ケース本体部３の収納空間に電源部３０および増幅部３１が収容されていない場合は、蓋部２をケース本体部３から開けて、第３係合溝１０ｈにブランクパネル１１の係合突起１１ｃが係合するよう、ブランクパネル１１をスライド溝１０ａ内において横方向にスライドさせる。この状態が図４に示されており、図４に示すように前面部３ｃおよび前面部１０ｄに形成されている第１挿通部１０ｂおよび第２挿通部１０ｃがブランクパネル１１により塞がれるようになる。ここで、蓋部２を回転支持部４を回転軸として回転させて、ケース本体部３に被嵌した時に、導出部１０の第１挿通部１０ｂおよび第２挿通部１０ｃがブランクパネル１１で塞がれていることから、塵埃や雨水が電子機器ケース１内に侵入することを防止することができるようになる。
【００２１】
電子機器ケース１に電源部３０のみを収容する場合は、蓋部２をケース本体部３から開けて、第２係合溝１０ｈにブランクパネル１１の係合突起１１ｃが係合するよう、ブランクパネル１１をスライド溝１０ａ内において横方向にスライドさせる。この状態が図５に示されており、図５に示すように前面部３ｃおよび前面部１０ｄに形成されている第２挿通部１０ｃがブランクパネル１１により塞がれるが、第１挿通部１０ｂは露出するようになる。そこで、ケース本体部３の左側部３ａおよび右側部３ｂの後部の内側上端に形成された板状突起とされた一対の係止部３ｅと底面部との間に電源部３０を装着する。そして、電源部３０の側面から導出された電源ケーブル６を、導出部１０の第１挿通部１０ｂに挿通して外部へ導出する。この状態が図６に示されており、図６に示すように前面部３ｃおよび前面部１０ｄに形成されている第２挿通部１０ｃがブランクパネル１１により塞がれ、第１挿通部１０ｂには電源ケーブル６が挿通されている。ここで、蓋部２を回転支持部４を回転軸として回転させて、ケース本体部３に被嵌した時に、導出部１０の第１挿通部１０ｂには電源ケーブル６が挿通され、第２挿通部１０ｃはブランクパネル１１で塞がれていることから、塵埃や雨水が電子機器ケース１内に侵入することを防止することができるようになる。
【００２２】
次に、電子機器ケース１に増幅部３１のみを収容する場合は、蓋部２をケース本体部３から開けて、第４係合溝１０ｉにブランクパネル１１の係合突起１１ｃが係合するよう、ブランクパネル１１をスライド溝１０ａ内において横方向にスライドさせる。この状態が図７に示されており、図７に示すように前面部３ｃおよび前面部１０ｄに形成されている第１挿通部１０ｂがブランクパネル１１により塞がれるが、第２挿通部１０ｃは露出するようになる。そこで、ケース本体部３の左側部３ａおよび右側部３ｂの前部の内側中段に形成された板状突起とされた一対の係止部３ｆと底面部との間に増幅部３１を装着する。この際に、複数の同軸端子５ａ〜５ｃがケース本体部３の前面部３ｃに形成された円筒状のリング状部をそれぞれ貫通して外部へ突出する。そして、増幅部３１の上面にネジで接続されたアースケーブル７を、導出部１０の第２挿通部１０ｃに挿通して外部へ導出する。この状態が図８に示されており、図８に示すように前面部３ｃおよび前面部１０ｄに形成されている第１挿通部１０ｂがブランクパネル１１により塞がれ、第２挿通部１０ｃにはアースケーブル７が挿通されている。ここで、蓋部２を回転支持部４を回転軸として回転させて、ケース本体部３に被嵌した時に、導出部１０の第１挿通部１０ｂはブランクパネル１１で塞がれ、第２挿通部１０ｃにはアースケーブル７が挿通されていることから、塵埃や雨水が電子機器ケース１内に侵入することを防止することができるようになる。
【００２３】
なお、電源部３０が電子機器ケース１から取り外されるのは、屋外にＡＣ１００Ｖの供給源がない場合などであり、電子機器ケース１内から取り出された電源部３０は屋内に設置することができる。この場合、図示していないが電源部３０には入力用の同軸端子と出力用の同軸端子とが設けられている。そして、増幅部３１の出力用の同軸端子５ｃは電源入力端子を兼用していると共に、電源部３０の入力用の同軸端子は電源出力端子を兼用している。そこで、増幅部３１から電源部３０を分離して使用する際には、増幅部３１の出力用の同軸端子５ｃと電源部３０の入力用の同軸端子とを同軸ケーブルで接続することにより、増幅部３１に電源部３０から電源を供給することができると共に、増幅部３１から出力される増幅された信号が電源部３０に入力されるようになる。電源部３０に入力された信号は、そのまま出力用の同軸端子から出力されて、テレビジョン受像機やレコーダなどの映像機器に供給される。
【産業上の利用可能性】
【００２４】
上記の説明では、本発明の電子機器ケースの実施例をブースターとして説明したが、本発明はブースターに限らず、ケース内に電源部や増幅部、減衰器、分配器、分岐器、フィルターなどの回路ユニットが取り外し可能に収納され、ケースからケーブルが導出される電子機器ケースの全般に適用することができる。
なお、本発明の電子機器ケースにおいては、電源部および電子回路ユニットを収容した電子機器ケースが家屋の外壁に取り付けられる場合に、近傍の外壁等に商用電源のコネクタが設けられている時は、電源部を内蔵した状態として、電源部から導出された電源ケーブルの先端のプラグを商用電源のコネクタに装着すれば、電子回路ユニットを動作させることができる。また、近傍に商用電源のコネクタが設けられていない場合は、電源部を取り外して屋内に設置すると共に、電源部から導出された電源ケーブルの先端のプラグを屋内の商用電源のコネクタに装着すると共に、電源部と電子回路ユニット間を同軸ケーブルで接続すればよい。この場合、電源部の出力用の端子に接続した同軸ケーブルを信号の供給先に接続する。
また、本発明の電子機器ケースにおいては、スライド溝１０ａの横方向の長さおよびブランクパネル１１の横方向の長さは、スライド溝１０ａ内にブランクパネル１１をスライドさせることにより、第１挿通部１０ｂおよび第２挿通部１０ｃ、または、第１挿通部１０ｂと第２挿通部１０ｃとのいずれかを、ブランクパネル１１により塞ぐことができる長さに調節されている。
【符号の説明】
【００２５】
１  電子機器ケース、２  蓋部、２ａ  左側部、２ｂ  右側部、２ｃ  上面部、２ｄ  張り出し片、３  ケース本体部、３ａ  左側部、３ｂ  右側部、３ｃ  前面部、３ｄ  取付部、３ｅ  係止部、３ｆ  係止部、４  回転支持部、５ａ〜５ｃ  同軸端子、６  電源ケーブル、７  アースケーブル、８  係合部、９  係止片、１０  導出部、１０ａ  スライド溝、１０ｂ  第１挿通部、１０ｃ  第２挿通部、１０ｄ  前面部、１０ｅ  側面部、１０ｆ  第１係合溝、１０ｇ  第２係合溝、１０ｈ  第３係合溝、１０ｉ  第４係合溝、１１  ブランクパネル、１ａ  上板部、１１ｂ  前板部、１１ｃ  係合突起、１１ｄ  後板部、１１ｅ  滑り止め突起、３０  電源部、３１  増幅部、１００  ブースター、１０２  蓋部、１０３  ケース本体部、１０３ｃ  底面部、１０４  回転支持部、１０５  同軸端子、１０６  電源ケーブル、１０８  係合部、１０９  係止片、１３０  電源部、１３１  増幅部
【図１】
0006429600.tif 000002
【図２】
0006429600.tif 000003
【図３】
0006429600.tif 000004
【図４】
0006429600.tif 000005
【図５】
0006429600.tif 000006
【図６】
0006429600.tif 000007
【図７】
0006429600.tif 000008
【図８】
0006429600.tif 000009
【図９】
0006429600.tif 000010
【図１０】
0006429600.tif 000011
【図１１】
0006429600.tif 000012
【図１２】
0006429600.tif 000013